(57)【要約】【課題】  化粧用口紅を収容してその口紅の出し入れ手段を具備した口紅容器の口紅受に着脱自在にメンテナンスの出来る口紅装着自在の口紅容器にすること。【解決の手段】口紅１の出し入れ手段を備えた容器体２とその中で出し入れ可動する中ケース７と、それに着脱するキャップ体３とでなり、中ケース７に内設して移動する口紅受５に係合する口紅１を設けてメンテナンスの出来る個別の口紅１が口紅受５に着脱自在可能な、口紅容器４を構成する。【選択図】  図１
2006167376.tif 000002
【特許請求の範囲】
【請求項１】
口紅（１）の出し入れ手段を備えた容器体（２）と中央ケース（７）とが、それに着脱するキャップ体（３）とからなる口紅容器（４）において、容器体（２）が出し入入れ自在に移動する口紅受（５）に装着する口紅（１）を着脱可能にしたことを特徴とする、メンテナンスの出来る口紅容器。
【請求項２】
前記する口紅（１）の根元（１ａ）にベース体（１６）を一体化し、これらのベース体（１ｂ）が口紅受（５）に差込み自在に係合可能な口紅体（１ｃ）にしたことを特徴とする請求項１記載のメンテナンスの出来る口紅容器。
【請求項３】
前記する容器体（２）と口紅受（５）の双方の底面に孔（２ａ）を開口し、口紅受（５）に差込まれた口紅（１）、口紅体（１ｃ）が、その底部に外部から付加する押し圧にて取外し可能にしたことを特徴とする請求項１及び２項記載のメンテナンスの出来る口紅容器。
【請求項４】
請求項３での容器体（２）の底面に貫通する回動自在なネジ（６）を設けたことを特徴とするメンテナンスの出来る口紅容器。
【請求項５】
口紅（１）の出し入れ手段を備えた容器体（２）を少なくとも２本並列しこれらの夫々の容器体（２）に組込まれてなる中ケース（７）に固着合体する外ケース（ｆ）が、回動自在構成での容器体（２）を収容し、これらの容器体（２）の回動によって、出し入れ自在に移動する口紅受（５）に差込まれる口紅（１）が着脱可能で、これらの口紅（１）がキャップ体（３）でおおわれたことを特徴とする、メンテナンスの出来る口紅容器。
【請求項６】
前記請求項５において、並列してなる容器体（２）に組込まれてなる中ケース（７）を回動自在にし、容器体（２）を外ケース（８）とが固着合体し、中ケース（７）の回動によって口紅受（５）を移動可能にしたことを特徴とする、請求項５記載のメンテナンスの出来る口紅容器。
【請求項７】
上記する請求項５及び６項において、夫々の容器体（２）、外ケース（８）及び口紅受（５）の底面に孔（２ａ）を開口し、口紅（１）のメンテナンス時に差し棒などで外部より口紅受（５）に差込まれた口紅（１）、口紅体（１ｃ）の底面に押し圧することで夫々の口紅を取出し可能にしたことを特徴とする、メンテナンスの出来る口紅容器。
【請求項８】
上記する請求項５及び６項において、それぞれの容器（２）の底面に貫通する回動自在なネジ（６）を設けたことを特徴とするメンテナンスの出来る口紅容器。
【発明の詳細な説明】
【技術分野】
【０００１】本発明は、化粧用の口紅容器に関し、詳しくは口紅とそれを装置して出し入れ手段を備えた容器体とを分割し、口紅だけを着脱可能にした口紅容器に関する。
【背景技術】
【０００２】此の種の従来の技術として、これらを図６で述べるように口紅１’は筒体で有底の口紅受け５’に直に差込み固着して常時それぞれが一体化して構成している。【０００３】そして、口紅受５’の出し入れを備える容器体２’に収容する中ケース７’は相互が回動自在に接合し、その中ケースの７’の内壁には螺旋状の凹状７ａ’を設け、更にケース７’の内壁に容器体２’とそれに設けた直線状のスリット２ｂ’とが接合する構成である。【０００４】これらのスリット２ｂ’を設けた容器体２’は口紅受５’を収容しているがその口紅受５’の外周に突出している突起５ａ’は前記するスリット２ｂ’に係合しながら容器体２’の回動することで、螺旋状の凹状７ａ’をガイドとして係合することで上下方向に口紅受５’が出し入れ移動する構成である。【０００５】このように中ケース７’を指先でつまんで容器体２’を左方向矢印に向けて回動することでスリット２ｂ’をガイドに係合する突起５ａ’をもつ口紅受５’はそれに差込まれて一体的固着して飛び出た口紅１’が矢印方向に向けて回動しながら移動し、中ケース７’に収容されることになる。【０００６】また、指先で容器体２’をつまんだ状態で、中ケース７’を指先で矢印方向に回動することで口紅受５’に装着する口紅１’は矢印と逆方向に向けて直線状のスリット２ｂ’を移動して収容する中ケース７’から飛び出すことになる。【０００７】上記する口紅１’の出し入れ手段を備えた容器体２’によって従来技術での口紅１’はキャップ体３’をその容器体２’の開口部に差込み自在でなる口紅容器４’が一般的である。
【発明の開示】
【発明が解決しようとする課題】
【０００８】しかしながら上記する従来技術での口紅容器４’は利用者が、何回となく口紅１’を使い続けることで徐々にではあるが、消耗し、使いきってしまうことで、これらの口紅容器４’は無用扱いとなってなんの損傷のないまま投げられてしまうという課題がある。【０００９】そしてまた、利用者は口紅の色調はもとより、その口紅容器４’のデザイン面での自分好みによって多品種の中から選択し高額な高級ブランド指向で入手した場合でも、口紅１’の消耗と同時に無用扱いにしなければならないという課題がある。【００１０】また、口紅１’の利用者は、２品種を同時に使いこなす場合でのメーキャップに１本のリップクリームで唇の下地用での口紅スティックと仕上げの色調使いの口紅との２本のスティックを個別に分散扱をしなければならず、携帯や使用時に不便さを感じるなどの課題が残る。【００１１】このように１つの課題として、メンテナンスの出来る口紅１’が古くから要望されていた。即ちお気に入りの高額扱での容器体２’に装着する口紅１’が消耗した場合、新しい口紅１’をもとの容器体２’に手軽に簡単に用意された個別扱の口紅１’を差替えが出来るという願望で更には２本の個別のメンテナンスの出来る口紅スティックが合体された口紅容器が強く要望される。
【問題を解決するための手段】
【００１２】この発明はかかる課題を解決するために、請求項１での発明は、図１で述べるように、口紅１の出し入れ手段を備えた容器体２と中ケース７とがそれに着脱するキャップ体３とからなる口紅容器４であって、容器体２が出し入れ自在に移動する口紅受け５に装着する口紅１を着脱可能な構造にする。
【００１３】次に請求項２での発明は、図３で述べるように、口紅１根元１ａにベース体１ｂを一体化し、これらのベース体１ｂが口紅受５に差込み自在に係合可能な口紅体１ｃにして個別扱いを容易にし且つ、口紅受５の開口部に口紅１ｃが安定的に装着される狙いである。
【００１４】次に請求項３での発明は、図２で述べるように、容器体２と口紅受５の双方の底面に孔２ａを開口し、口紅受５に差込まれた口紅１、口紅体１ｃがその底面に外部から付加する押し圧にて取外しを容易にしている。
【００１５】また次に、請求項４での発明を同じく図２で述べるように、容器体２の底面に貫通する回動自在なネジ６を設け、そのネジ６の先端の出、入れによって口紅受５に差込まれた口紅１、口紅体１ｃの底に押し圧することで使い切ったそれらが押し出されることで、新品の口紅１、口紅体１ｃを再度口紅受５に差込込んでメンテナンスを容易にしたものである。
【００１６】次に請求項５での発明を図４で述べるように、口紅１の出し入れ手段を備えた容器体２を少なくとも２本並列し、これらのそれぞれの容器体２に組込まれてない中ケース７に合体する外ケース８が回動自在構成での容器体２を収容し、これらの容器体２の回動によって、出し入れ自在に移動する口紅受５に差込まれる口紅１が抜き出し可能でそれぞれのこれらの口紅１、口紅体１ｃがキャップ体３でおおわれており、利用者は２本セットでの個別のそれぞれを交互に即座に使用の出来る利便性を配慮した構成である。
【００１７】次にまた、請求項６での発明を図５で述べるように、並列してなる容器体２に組込まれてなる中ケース７を回動自在にし、容器体２と外ケース８とが合体することで、中ケース７の回動によってそれぞれの口紅を個別に出し入れ可能にした構成である。
【００１８】次に請求項７においては、上記する請求項５、６項でのそれぞれの容器体２、外ケース８及び口紅受５の底面に孔２ａを開口し、口紅１、口紅体１ｃの底面に押し圧することで、夫々の口紅を取出し可能にした構成である。（図示せず）
【発明の効果】
【００１９】本発明は上述の通り構成作用するので、次の優れた効果を奏する。即ち、第１実施例で述べているように、口紅の出し入れ手段を備えた容器体は半永久的に使い捨てにすることなく、消耗した口紅だけを容器体に設けた出し入れ自在でなる口紅受から取外して新品の個別に調達する口紅を口紅受けに差込んで使うことの可能な、メンテナンスの出来る口紅容器を提供出来る。
【００２０】また、第２実施例での発明は個別に扱う口紅のため、素手でつまんで口紅受けに差し込むのに摘みやすくするために、口紅の根元にベース体を装着一体化して、口紅受けに差込んだベース体が傾斜したりゆるんで抜けたりすることのない口紅受けとベース体との接合をスムーズにした、メンテナンスの出来る口紅容器を提供出来る。
【００２１】また更に、第３及び第４実施例では使い終わった口紅を簡単に取出すことの出来るための口紅受の底面と容器体の底面に孔を開口し、その孔に差し棒などを差込み口紅の底を押し出して口紅受けから使い終わった口紅を容易に取外し、又は容器体の底面にネジを設けて、ネジの回動によって先端の出し入れで口紅の底に押し圧を加えることの出来る、メンテナンスの出来る口紅容器を提供出来る。
【００２２】次にまた、第５・第６での実施例は図４・５で述べるように２本のスティック口紅を外ケースとセッティングすることで、双方の口紅の個別の便利な使い方の出来る口紅容器を提供出来る。
【発明を実施するための最良の形態】
【００２３】以下に図示の実施例に基づいて本発明での最良の形態を説明するに、請求項１での本発明を図１で述べるように、口紅１とそれを受けて装着する口紅受５と、それを上、下に移動するための出し入れ手段を具備する容器体２とそれに内設する中ケース７とで構成し、それの口紅１の端部を封印するキャップ体３が容器体２と係合自在に設けられて口紅容器４を構成する。【００２４】これらの口紅容器４は、使用時に容器体２に封印されたキャップ体３を取外し、中ケース７をつまんで容器体２に係合しているケース体２ｃを矢印方向に回動することで、口紅１が矢印ａ方向に飛び出すことで、利用者は唇に化粧をすることが出来る。【００２５】そして、再度ケース体２ｃをや矢印方向に回動することで口紅１が引っ込み、取外したキャップ体３を容器体２に差込んで口紅１は収容される。【００２６】このように何回となく繰返し使用することで口紅１は徐々に消耗することでこれらの消耗した口紅１は当然ながら新しく調達した単品扱いの口紅１に交替することになる。【００２７】この交替は、第１実施例では、直に残り口紅１をティッシュペーパーなどでつまんで、差込んで固着している口紅受５から引抜くことになるが、これらの固着方法を特定するものでない。【００２８】次に請求項２での本発明を図３で述べるように、口紅１の根元１ａを成形品でのベース体１ｂに差込んだ形態での口紅体１ｃに構成し、それらが個別に包装されて利用され、必要時に取扱い便利にしている。即ちベース体１ｂがスムーズに口紅受け５に嵌合し着脱を確実なものにしている。【００２９】上記する口紅体１ｃのベース体１ｃは、ねじ式にして口紅受５と共にねじ合わせで係合するなども考えられるが特定するものでなく口紅１のメンテナンスの自在に適切であることを第１議としている。【００３０】次に請求項３での本発明を図２で述べるように、容器体２と口紅受５の底面に孔２ａを開口した形態で、これらの孔２ａは口紅１が使い切って、新品調達の個別に用意される口紅１に交替する際に使われる。【００３１】即ち、容器体２を回動し口紅１を中ケース７の底に移動収容することで、容器体２の孔２ａと口紅受５に設けた孔２ａとが接近し、相方が一本の指し棒などに貫通可能となり、使い切った口紅１を口紅受５から取外すのに容器体２の孔２ａに差込んだ一本の指し棒によって口紅１の根元に押し圧することで、口紅１を取り出すことになる。【００３２】次に請求項４での本発明は、請求項３での図２で述べるように、容器体２の底面に開口する孔２ａ部にねじ切りをすることで、それに嵌合するネジ６をセットすることで、ネジの回動によって口紅１の根元を押し出すことで口紅受５に装着した使い切った口紅１を交換可能にしている。【００３３】本実施例では、これらの容器体２に設けた孔２ａ又はネジ６をカモフラージュする事を兼ねて、容器体２にケース体２ｃを着脱する構成が適用されている。【００３４】次に請求項５．６での本発明を図４．５で述べるように、２本をペアにした口紅１が外ケース８に収容されて、その外ケース８にキャップ体３が嵌合して封印された口紅１の出し入れ手段の具備する容器体２から構成するが、２本をペアにすることで１本の口紅スティックをリップクリームなどにし、色調の他の１本の口紅１を同時に利用するなどを考慮しての発明で、２本をペアで設けた口紅１は色調違いにする他の利用などに活用様々である。【００３５】このように２本の口紅１の夫々が、使い切って新品と交替に達して、夫々が口紅受５から抜き取って交換する構成である。【００３６】そして請求項５での本発明は、図４で述べるように、外ケース８の側面に２本の中ケース７が並列して固着することで、口紅１を中ケース７から頭出しするのに、外ケース８を指先でつまんだ状態で夫々の容器体２の端部を矢印方向に回動することによって行う。【００３７】そしてまた、請求項６での発明は図５で述べているように、容器体２のそれぞれの２本の口紅１は、容器体２が外ケース８の側面に固着する構成で、使用時は外ケース８を指先でつまんだ状態で夫々の中ケース７を回動することで口紅１の出し入れを行う実施例を示している。【００３８】このように２本を並列する外ケース収納での口紅１の出し入れについての操作での容器体２の回動又は中ケース７の回動によって実施されるが、これらの回動手段においては、他のパーツを組合わせて回動するなども考えられるのでこの限りではない。【００３９】請求項７においては、上記する夫々の口紅１の入れ替えは口紅１を直にティッシュペーパーなどを使って摘んで取出しの他に外ケース８の底面や容器体２の底面に開口する孔２ａを設け、口紅受５の底面の孔２ａに指し棒などを押し込んで口紅１の根元を押すことで口紅受５から取出すことの出来る構成が実施例とするが、本実施例については図面は省略されているが、前記する請求項３で述べる図２の構成に準ずるものである。
【図面の簡単な説明】
【００４０】
【図１】本発明に係わる第１実施例での全体斜視図である。
【図２】本発明に係わる第３実施例での１部断面での全体斜視図である。
【図３】本発明に係わる第２実施例での口紅単体での斜視図である。
【図４】本発明に係わる第４実施例での１部断面での全体斜視図である。
【図５】本発明に係わる第５実施例での１部断面での全体斜視図である。
【図６】従来技術での１部断面での全体を示す斜視図である。
【符号の説明】
【００４１】１．１’    口紅
１ａ        根元
１ｂ        ベース体
１ｃ        口紅体
２．２’    容器体
２ａ        孔
２ｂ’      スリット
２ｃ        ケース体
３．３’    キャップ体
４．４’    口紅容器
５．５’    口紅受
６          ネジ
７．７’    中ケース
８          外ケース
【図１】
2006167376.tif 000003
【図２】
2006167376.tif 000004
【図３】
2006167376.tif 000005
【図４】
2006167376.tif 000006
【図５】
2006167376.tif 000007
【図６】
2006167376.tif 000008